(57)【要約】【課題】保管時や運搬時あるいは施工時に光コンセントの光接続具内部に塵埃が入り込むのを防止できる光コンセント用防塵カバーを提供する。【解決手段】造営面に埋込配設されたボディ及び裏カバーと、両端に光プラグが接続されるプラグ接続口を有し、ボディに収納されるレセプタクル６とを備えた光コンセントに用いられる防塵カバー４は、プラグ接続口６ｅよりもやや大きい外形寸法に形成された略矩形板状の鍔部４ｃを有し、鍔部４ｃの一方の面には略矩形板状の摘み４ｂが、他方の面には先端側が当接面をなす略角柱状に形成された挿入部４ａがそれぞれ一体に形成されている。また挿入部４ａの両側面には、平面視円弧状の一対の突片４ｄ、４ｄが設けてある。この防塵カバー４をレセプタクル６に取付けた状態では、プラグ接続口６ｅは鍔部４ｃによって閉塞され、また挿入部４ａの当接面がスリーブ孔６ｋを塞いだ状態でスリーブ保持部の端面に当接している。【選択図】図１
2008083086.tif 000002
【特許請求の範囲】
【請求項１】
造営面に埋込配設された器具本体を備え、前記造営面に対して表面側から光ファイバプラグが接続される第１の接続口と、前記造営面に対して裏面側に先行配線された光ファイバの光ファイバプラグが接続される第２の接続口と、前記第１及び第２の接続口に接続された前記両光ファイバプラグのフェルールを整列させた状態で保持するスリーブとを有する光接続具が、前記器具本体に収納された光コンセントに用いられる防塵カバーであって、
前記第２の接続口に着脱自在に取着されるカバー本体に前記第２の接続口を閉塞する鍔部を設けたことを特徴とする光コンセント用防塵カバー。
【請求項２】
前記スリーブにおける前記第２の接続口側の端面に当接して当該スリーブの開口を塞ぐ当接面を前記カバー本体に設けたことを特徴とする請求項１記載の光コンセント用防塵カバー。
【発明の詳細な説明】
【技術分野】
【０００１】
本発明は、光コンセント用防塵カバーに関するものである。
【背景技術】
【０００２】
従来より、埋込型配線器具用の取付枠を用いて造営面（例えば、壁面）に埋込配設される光コンセントがあった（例えば特許文献１参照）。この光コンセントは、ボディとボディの前面側に開閉自在に枢支されるカバーとでコンセント本体を構成しており、取付枠を介して壁面に取着されている。ボディ内部には、両端に光ファイバプラグを接続する接続口が設けられた光ファイバ用レセプタクル（光接続具）が、一方の接続口を壁面の表面側に、他方の接続口を壁面の裏面側に向けた状態で収納されている。
【特許文献１】特開２００５−７３３６６号公報（第８頁−第９頁、及び、第１図−第６図）
【発明の開示】
【発明が解決しようとする課題】
【０００３】
上述の特許文献１に示した光コンセントでは、光ファイバ用レセプタクルにおいて壁面の裏面側に配線された光ケーブルの光ファイバプラグが接続される接続口にはカバーがなく開口しているので、保管時や運搬時あるいは施工時に塵埃が入り込み、伝送損失が増加する可能性があった。
【０００４】
本発明は上記問題点に鑑みて為されたものであり、その目的とするところは、保管時や運搬時あるいは施工時に光コンセントの光接続具内部に塵埃が入り込むのを防止できる光コンセント用防塵カバーを提供することにある。
【課題を解決するための手段】
【０００５】
請求項１の発明は、造営面に埋込配設された器具本体を備え、造営面に対して表面側から光ファイバプラグが接続される第１の接続口と、造営面に対して裏面側に先行配線された光ファイバの光ファイバプラグが接続される第２の接続口と、第１及び第２の接続口に接続された両光ファイバプラグのフェルールを整列させた状態で保持するスリーブとを有する光接続具が、器具本体に収納された光コンセントに用いられる防塵カバーであって、第２の接続口に着脱自在に取着されるカバー本体に第２の接続口を閉塞する鍔部を設けことを特徴とする。
【０００６】
請求項２の発明は、スリーブにおける第２の接続口側の端面に当接して当該スリーブの開口を塞ぐ当接面をカバー本体に設けたことを特徴とする。
【発明の効果】
【０００７】
請求項１の発明によれば、カバー本体に第２の接続口を閉塞する鍔部を設けているので、施工時に防塵カバーを外して、第２の接続口に光ファイバプラグを接続するまでの間、防塵カバーを第２の接続口に取着することによって、保管時や運搬時あるいは施工時に第２の接続口への塵埃の侵入を防止することができるという効果がある。
【０００８】
請求項２の発明によれば、スリーブの端面に当接してスリーブの開口を塞ぐ当接面をカバー本体に設けているので、スリーブ内部への塵埃の侵入を鍔部と当接面とで二重に防止することができ、したがって第２の接続口と鍔部との間から塵埃が入り込んだ場合でも当接面によってスリーブの開口が塞がれているので、スリーブ内部への塵埃の侵入を防止することができるという効果がある。
【発明を実施するための最良の形態】
【０００９】
以下に本発明の実施の形態を図１〜図５に基づいて説明する。本発明に係る防塵カバー４は、光コンセント１０に図示しない光ファイバプラグ（以下、光プラグという）を接続する際に、取り外すまでの間レセプタクル６の接続口６ｅに取着して用いられる。尚、以下の説明では特に断りがない場合、図４に示す向きにおいて上下左右の方向を規定し、図４の正面を前面という。従って図５において右側が後面になる。
【００１０】
光コンセント１０は、図４及び図５に示すように、中央に長方形状の開口窓５ａを有する矩形枠状の取付枠５を用いて造営面（例えば、壁面）に埋込配設されている。尚、光コンセント１０は、埋込型配線器具の単位寸法（開口窓５ａの長手方向に３個並べて取付枠５に取付可能な寸法であり、この寸法を１個モジュール寸法という）の２個分の大きさ（２個モジュール寸法）に形成されており、図示例では１個モジュール寸法に形成されたモジュラコンセント７が併設されている。またモジュラコンセント７は、周知のものを用いており、説明は省略する。
【００１１】
まず、取付枠５について図４及び図５に基づいて説明する。取付枠５は、例えばＪＩＳ規格で規格化されている大角形連用配線器具の１連用のものであって、例えば合成樹脂を用いて中央に長方形状の開口窓５ａを有する略矩形枠状に形成されている。また、取付枠５の開口窓５ａを間にして上下方向両側には、壁面に埋込配設された埋込ボックス（図示せず）に取付けるためのねじ（図示せず）が挿通される横長のねじ挿通孔５ｃがそれぞれ設けられている。さらに各ねじ挿通孔５ｃを間にして左右方向両側には、壁を構成する石膏ボードなどに取付けるために用いる押さえ金具が取着される一対の取付孔５ｆ、５ｆがそれぞれ設けられている。また取付枠５の上下方向両端側には、一対の取付片５ｂ、５ｂが一体に形成されており、各取付片５ｂの略中央には化粧プレート（図示せず）を取付けるためのプレートねじ（図示せず）が螺着されるねじ孔５ｄがそれぞれ設けられている。さらに取付枠５の左右方向両側辺には、各一対の取付孔５ｅ、５ｅが長手方向に沿って３組ずつ設けられている。
【００１２】
次に、取付枠５に取付けられる光コンセント１０について図１〜図５に基づいて説明する。光コンセント１０は、図４及び図５に示すように、２個モジュール寸法に形成されたボディ１と、両端に光プラグが接続されるプラグ接続口６ｄ、６ｅを有しボディ１に収納されるレセプタクル６（光接続具）とを有している。
【００１３】
ボディ１は、図４及び図５に示すように、合成樹脂製の２個モジュール寸法の箱状に形成されており、後面側（図５において右側）が開口している。ボディ１の前面側（図５において左側）には、取付枠５に取付けた際に開口窓５ａを通して前方に突出する突出部１ａが一体に形成されている。この突出部１ａは、上端側から途中位置までは下方に行くにつれて前方への突出量が大きくなるように湾曲する湾曲部１ｂと、途中位置から下端側までは下方に行くにつれて前方への突出量が小さくなるように傾斜する傾斜部１ｃとで一体に形成されている。また傾斜部１ｃの略中央には、光プラグを差し込むための差込口１ｄが設けられている。さらにボディ１の左右方向両側面には、取付枠５に設けた取付孔５ｅ、５ｅに対応する部位に各一対の取付爪１ｅ、１ｅが長手方向に沿って２組ずつ形成されている。
【００１４】
レセプタクル６は、例えばＪＩＳ規格で規格化されたＦ０４形（ＳＣ形とも呼ばれる）の光コネクタ結合部であって、図２に示すように、一端側に通信機器（図示せず）から配線された光ケーブルの光プラグが接続されるプラグ接続口６ｄ（第１の接続口）を、他端側に壁面の裏側に配線された光ケーブルの光プラグが接続されるプラグ接続口６ｅ（第２の接続口）を有し略角筒状に形成されたハウジング６ａを備えており、ハウジング６ａの内部には光プラグの先端側に設けられたフェルール（図示せず）が着脱自在に嵌入されるスリーブ６ｂを有するスリーブ保持部６ｃが設けられている。スリーブ６ｂはプラグ接続口６ｄ側に突設されており、スリーブ保持部６ｃにはスリーブ６ｂの中心孔と連通するスリーブ孔６ｋ（図３参照）が設けられている。またプラグ接続口６ｄ側には、図２に示すように、先端側に内側に突出する係止爪６ｍを有し撓み自在に突設された一対の弾性係止片６ｈ、６ｈがスリーブ６ｂを間にして設けられており、プラグ接続口６ｅ側には、図２及び図３に示すように、先端側に内側に突出する係止爪６ｎを有し端面６ｆから撓み自在に突設された一対の弾性係止片６ｊ、６ｊがスリーブ孔６ｋを間にして設けられている。さらに図１に示すように、ハウジング６ａの外側面には外方へ突出するフランジ部６ｇが一体に形成されている。
【００１５】
また、図２に示すように、ハウジング６ａのプラグ接続口６ｄの内側近傍には、プラグ接続口６ｄに光プラグを接続していないときに、反対側のプラグ接続口６ｅに接続された光プラグから出力されるレーザー光が外部に照射されないように保護するための一対の扉体８、８が設けられている。これらの扉体８、８は、光プラグの差込方向（図２において下方向）に揺動自在に取付けられており、ばね９によって差込方向と反対方向（図２において上方向）に弾性付勢されている。
【００１６】
従って、光プラグをプラグ接続口６ｄに接続する場合には、光プラグで一対の扉体８、８をばね９の付勢に逆らって押圧することで扉体８、８が押し開かれ、さらに光プラグを差し込むとフェルールがスリーブ６ｂに嵌入され、光プラグが両弾性係止片６ｈ、６ｈの係止爪６ｍ、６ｍに係止することで光プラグがレセプタクル６に接続される。逆に光プラグをプラグ接続口６ｄから取り外す場合には、光プラグを外側（図２において上方向）に引き抜くことで光プラグと係止爪６ｍ、６ｍとの係止状態が解除されて、光プラグがレセプタクル６から取り外される。この時、一対の扉体８、８は、ばね９の付勢力によって外側（図２において上方向）に移動し、プラグ接続口６ｄを閉塞する。
【００１７】
一方、光プラグをプラグ接続口６ｅに接続する場合には、プラグ接続口６ｅ側には扉体８、８は設けられていないので、光プラグをプラグ接続口６ｅに差し込むだけでよく、光プラグをプラグ接続口６ｅに差し込むとフェルールがスリーブ６ｂに嵌入され、光プラグが両弾性係止片６ｊ、６ｊの係止爪６ｎ、６ｎに係止することで光プラグがレセプタクル６に接続される。逆に光プラグをプラグ接続口６ｅから取り外す場合には、光プラグを外側（図２において下方向）に引き抜くことで光プラグと係止爪６ｎ、６ｎとの係止状態が解除されて、光プラグがレセプタクル６から取り外される。
【００１８】
次に、レセプタクル６をボディ１に収納する方法について図５に基づいて説明する。まずレセプタクル６のプラグ接続口６ｄをボディ１の差込口１ｄからボディ１の外部に臨ませた状態でボディ１に収納する。そして、裏面側から裏カバー２に設けた係止部（図示せず）をボディ１に設けた係止孔（図示せず）に係合させると、裏カバー２がボディ１に取付けられ、レセプタクル６はボディ１と裏カバー２との間で挟持された状態でボディ１に固定される。さらに裏カバー２の背面側には、光ケーブルの余長分を収納するためのケーブル収納具３が取付けられている。ここにボディ１及び裏カバー２で器具本体を構成している。
【００１９】
ここで、本発明に係る防塵カバー４について図１及び図２に基づいて説明する。この防塵カバー４は、プラグ接続口６ｅよりもやや大きい外形寸法に形成された略矩形板状の鍔部４ｃを有しており、鍔部４ｃの一方の面には防塵カバー４をレセプタクル６に取付ける際に摘むための略矩形板状の摘み４ｂが、他方の面には先端側にスリーブ保持部６ｃの端面６ｆに当接する当接面４ｅを有し略角柱状に形成された挿入部４ａがそれぞれ一体に形成されている。また挿入部４ａの両側面には、平面視円弧状の一対の突片４ｄ、４ｄが設けられている。ここに挿入部４ａと摘み４ｂとでカバー本体を構成している。
【００２０】
この防塵カバー４は、作業者が摘み４ｂを持って挿入部４ａをプラグ接続口６ｅから挿入することでレセプタクル６に取付けられる。この時、両弾性係止片６ｊ、６ｊは挿入部４ａの両突片４ｄ、４ｄによって外側に押し拡げられる。さらに挿入部４ａを押し込み、各突片４ｄが各係止爪６ｎを越えると、両弾性係止片６ｊ、６ｊが復元力によって元の位置に戻り、各係止爪６ｎが各突片４ｄに係止されて抜けが防止される。尚、防塵カバー４がレセプタクル６に取付けられた状態では、プラグ接続口６ｅは防塵カバー４の鍔部４ｃによって閉塞されており、さらに挿入部４ａの当接面４ｅがスリーブ孔６ｋを塞いだ状態でスリーブ保持部６ｃの端面６ｆに当接している。
【００２１】
逆に、防塵カバー４を外側（図２において下方向）に引き抜くと、両弾性係止片６ｊ、６ｊは両突片４ｄ、４ｄによって外側に押し拡げられる。そして防塵カバー４をさらに引き抜き、各突片４ｄが各係止爪６ｎを越えると、各係止爪６ｎと各突片４ｄとの係止状態が解除されて、防塵カバー４がレセプタクル６から取り外される。このように、防塵カバー４はレセプタクル６に簡単に着脱することができる。
【００２２】
次に、モジュラコンセント７及び光コンセント１０を取付枠５に取付ける方法について図４に基づいて説明する。モジュラコンセント７は、左右方向両側面に１組ずつ設けた各一対の取付爪７ａ、７ａを取付枠５の最も上側に位置する各一対の取付孔５ｅ、５ｅにそれぞれ係合させることによって、前面側を取付枠５の開口窓５ａを通して前方に露出させた状態で取付枠５に取付けられる。また光コンセント１０は、ボディ１の左右方向両側面にそれぞれ２組ずつ設けた各一対の取付爪１ｅ、１ｅを取付枠５の残り４組の各一対の取付孔５ｅ、５ｅにそれぞれ係合させることによって、ボディ１の突出部１ａを開口窓５ａを通して前方に露出させた状態で取付枠５に取付けられる。
【００２３】
この光コンセント１０を壁面に施工した場合、壁面の裏側に配置されるレセプタクル６のプラグ接続口６ｅに光プラグが接続されるまでの間はプラグ接続口６ｅは開口したままの状態であり、塵埃環境下では塵埃がプラグ接続口６ｅ内に入り込み、伝送損失が増加する虞れがあるが、本実施形態の防塵カバー４をプラグ接続口６ｅに取付けることによって、プラグ接続口６ｅを鍔部４ｃで閉塞することができるので、保管時や運搬時あるいは施工時にプラグ接続口６ｅ内への塵埃の侵入を防止することができる。また、防塵カバー４をプラグ接続口６ｅに取付けることによって、挿入部４ａの当接面４ｅがスリーブ孔６ｋの開口を塞いだ状態でスリーブ保持部６ｃの端面６ｆに当接しているので、スリーブ孔６ｋ内部への塵埃の侵入を鍔部４ｃと当接面４ｅとで二重に防止することができ、またプラグ接続口６ｅと鍔部４ｃとの間から塵埃が入り込んだ場合でも当接面４ｅによってスリーブ孔６ｋの開口が塞がれているので、スリーブ孔６ｋ内部への塵埃の侵入をより確実に防止することができ、光コンセント１０の伝送損失の悪化を防止することができる。
【００２４】
尚、防塵カバー４の鍔部４ｃ及び当接面４ｅの形状は本実施形態に限定されるものではなく、プラグ接続口６ｅ及びスリーブ孔６ｋの開口を閉塞できる形状であればよい。
【図面の簡単な説明】
【００２５】
【図１】本実施形態の防塵カバー及び防塵カバーが取付けられるレセプタクルの斜視図である。
【図２】同上の防塵カバーをレセプタクルに取付けた状態の断面図である。
【図３】同上の防塵カバーが取付けられるレセプタクルを一方の接続口から見た平面図である。
【図４】同上の防塵カバーを用いた光コンセント及びモジュラコンセントを取付枠に取付けた状態の正面図である。
【図５】同上の防塵カバーを用いた光コンセント及びモジュラコンセントを取付枠に取付けた状態のＡ−Ａ断面図である。
【符号の説明】
【００２６】
１    ボディ
２    裏カバー
４    防塵カバー
４ａ  挿入部
４ｂ  摘み
４ｃ  鍔部
４ｅ  当接面
６    レセプタクル（光接続具）
６ｂ  スリーブ
６ｃ  スリーブ保持部
６ｄ  プラグ接続口（第１の接続口）
６ｅ  プラグ接続口（第２の接続口）
１０  光コンセント
【図１】
2008083086.tif 000003
【図２】
2008083086.tif 000004
【図３】
2008083086.tif 000005
【図４】
2008083086.tif 000006
【図５】
2008083086.tif 000007